(57)【要約】      （修正有）【課題】子供の安否を確認するため、簡単な操作で親と通話でき、また、任意の電話番号に通話できる、腕時計型ＧＰＳ携帯電話を実現する。【解決の手段】２つのボタンを持つ子供用腕時計型ＧＰＳ携帯電話で、内部状態Ｓ０，Ｓ１，Ｓ２及びイベントＤ１，Ｄ２，Ｕ１，Ｕ２，Ｔ３を構造的・組織的・統一的に組み合わせることにより、親への通話には２タッチで、電話帳に登録してある通話先には数少ない操作で、任意の通話先にも通話できるよう構成する。【選択図】図１
2006191214.tif 000002
【特許請求の範囲】
【請求項１】
２つのキーまたはボタンによる数字・文字入力装置で、内部状態ＳｘとイベントＤｎ，Ｕｎ，Ｔｍ（ここで、Ｓｘのｘは状態を区別するための任意の文字、Ｄｎはキー番号ｎのキーが押下されたイベント、Ｕｎはキー番号ｎのキーが押下状態から離されたイベント、Ｔｍはキーがｍ秒間押され続けたイベント、をそれぞれ表す）を明示的に使用し、任意の文字の入力を、これらの内部状態とイベントの組み合わせを明示的に用いることによって可能にした、２つのキーまたはボタンによる文字入力装置
【請求項２】
小型携帯電話、小型ＧＰＳ携帯電話、小型腕時計型携帯電話や小型腕時計型ＧＰＳ携帯電話で、２つのキーまたはボタンで電話の機能を持つ、特許請求の範囲１の入力装置。
【請求項３】
キーの数を３から６個の間のいずれかに増やした、特許請求の範囲１記載の入力装置。
【請求項４】
小型携帯電話、小型ＧＰＳ携帯電話、小型腕時計型携帯電話や小型腕時計型ＧＰＳ携帯電話、電卓、電子辞書で、キーの数が３から６個の個数の、特許請求の範囲３記載の入力装置。
【請求項５】
キーの数を任意に増やした、特許請求の範囲１記載の入力装置
【発明の詳細な説明】
【技術分野】
【０００１】本発明は数少ないキーによる文字入力装置である。
【背景技術】
【０００２】１つのキーによる文字入力装置として、キーの接触時間の長短で区別するモールス符号が知られている。２つのキーによる文字入力装置に関しては、いわゆるＮタッチ入力法と拡張キー入力法が知られている。Ｎタッチ入力とは、例えば５タッチ入力では２の５乗即ち３２通りの組み合わせで文字を入れることができる、一般に２のＮ乗の組み合わせで文字を入力する方法である。拡張キー方式とは右のキーをＲ、左のキーをＬとした時、例えばＬをエンド・マークとし、Ｌ、ＲＬ，ＲＲＬ、ＲＲＲＬ、ＲＲ・・・ＲＲＬ，としＲの出現回数で文字を対応させる方法である。また、すでに同一キーを押し続けた時に、一定時間以上押し続けるとある機能が働く入力方法、例えば携帯電話のマナーモード・エントリ、が知られている。しかしながら、これらは単発的であり、構造的・組織的・明示的入力として確立していなかった。
【発明の開示】
【発明が解決しようとする課題】
【０００３】腕時計型携帯電話があるが電話番号の入力が難しいという欠点があった。いま、子供のセキュリティ確保のためにＧＰＳ携帯電話が望まれている。例えば、誘拐、傷害事件の予防に必要である。実際に５つボタン式のＧＰＳ携帯がアメリカで発売されている。しかし該携帯電話はあらかじめ登録した宛先しか連絡できない欠点があった。あらかじめ登録されている宛先には簡単に通話でき、しかも任意の電話番号に通話でき、しかもボタンの数が少ない、例えば２つの、ＧＰＳ携帯電話の出現が待ち望まれている。
【課題を解決するための手段】
【０００４】２つのボタンまたはキーの携帯電話でありながら、子供のセキュリティを確保するため、たとえば、父親と母親の電話には簡単な操作で通話できることが可能になり、あらかじめ登録してあるほかの通話先にも比較的簡単な操作で通話でき、多少手間はかかるが任意の電話番号にも通話できる数字・文字入力装置である。【０００５】２つのボタンまたはキーまたはタッチパネル他その他の入力機器を使う数字・文字・記号入力装置である。以降２つのキーと呼ぶ。キー入力には内部状態とイベントが発生する。２つのキーで、内部状態Ｓｘとキーが押下されたイベントＤｎと押下された状態から離されたイベントＵｎとｍ秒間押し続けたイベントＴｍとを構造的・組織的・明示的に組み合わることにより、任意の数字・文字・記号等の入力を可能にしたものである。ここで、Ｓｘのｘは状態を区分するための任意の文字、Ｄｎ、Ｕｎのｎはキー番号、ここでは１または２。Ｔｍは秒単位でもミリ秒単位でも任意の値でも良いが、ここでは３秒、即ちＴ３を使う。キーの配置は自由であるが、ここでは説明上２つ左右に並べ左のキーを１、右のキーを２と呼ぶ。よく出てくるイベントの連続ＤｎＵｎ、即ちキーｎが押下されはなされた状態、をＫｎと略して記述する。また、イベント間には依存性があり、Ｄｎの後のいずれかのタイミングで必ずＵｎが発生する、Ｔｍの前にはＤｎが発生する。初期状態はＳ０である。【０００６】まず、任意の状態から初期状態に戻すのは、Ｄ２Ｔ３Ｕ２、である。よって、多くの場合Ｓ０であることを前提に説明する。登録してある父親の、例えば、携帯電話に通話するのは、Ｄ１Ｔ３Ｕ１Ｋ１、である。母親の登録してある電話番号に通話するのは、Ｄ１Ｔ３Ｕ１Ｋ２、である。言葉で説明すると１のキーを３秒間押し続けると通話状態になり、その後１のキーをチョンと一回押す、すると父親に繋がる。母親にかける時は１のキーを３秒間押し続けた後２のキーをチョンと押す。子供にできる非常に簡単な操作である。切断は前に述べた、Ｄ２Ｔ３Ｕ２、である。言葉で説明すると２のキーを３秒間押し続けると切れる。【０００７】次に、任意の電話番号を登録したりかけたりしたりするときに使う数字の入力について説明する。０，１，２，３，４，５，６，７，８，９、＊、＃である。後の説明で使うため数字は◎▲１▼▲２▼▲３▼▲４▼▲５▼▲６▼▲７▼▲８▼▲９▼とあらわす。
◎：  Ｄ１Ｕ１  （Ｋ１）
▲１▼：  Ｄ１Ｋ２Ｕ１
▲２▼：  Ｄ１Ｋ２Ｋ２Ｕ１
▲３▼：  Ｄ１Ｋ２Ｋ２Ｋ２Ｕ１
▲４▼：  Ｄ１Ｋ２Ｋ２Ｋ２Ｋ２Ｕ１
▲５▼：  Ｄ１Ｋ２Ｋ２Ｋ２Ｋ２Ｋ２Ｕ１
▲６▼：  Ｄ１Ｋ２Ｋ２Ｋ２Ｋ２Ｋ２Ｋ２Ｕ１
▲７▼：  Ｄ１Ｋ２Ｋ２Ｋ２Ｋ２Ｋ２Ｋ２Ｋ２Ｕ１
▲８▼：  Ｄ１Ｋ２Ｋ２Ｋ２Ｋ２Ｋ２Ｋ２Ｋ２Ｋ２Ｕ１
▲９▼：  Ｄ１Ｋ２Ｋ２Ｋ２Ｋ２Ｋ２Ｋ２Ｋ２Ｋ２Ｋ２Ｕ１
＊：  Ｄ１Ｋ２Ｋ２Ｋ２Ｋ２Ｋ２Ｋ２Ｋ２Ｋ２Ｋ２Ｋ２Ｕ１
＃：  Ｄ１Ｋ２Ｋ２Ｋ２Ｋ２Ｋ２Ｋ２Ｋ２Ｋ２Ｋ２Ｋ２Ｋ２Ｕ１
例えば、８１−３−３５８１−１１０１に電話をかけるには、▲８▼▲１▼▲３▼▲３▼▲５▼▲８▼▲１▼▲１▼▲１▼◎▲１▼Ｄ
１Ｔ３Ｕ１、となる。あまり効率的ではないが主に電話番号を登録する時に用いる。また、間違い入力の修正は、Ｄ２Ｋ１Ｕ２、で１文字前が削除できる。【０００８】次に、電話番号を電話帳に登録する時について説明する。電話帳の登録件数は任意であるが、ここでは４カテゴリー各５件の場合について説明する。カテゴリーはＡ，Ｂ，Ｃ，Ｄの順に現れるものとする。例えば、８１−３−３５８１−１１０１を登録するには、まず、▲８▼▲１▼▲３▼▲３▼▲５▼▲８▼▲１▼▲１▼▲１▼◎▲１▼を入力し画面の上部に表示させる、画面の使用は任意であるが、ここでは説明を分かり易くするために用いる。次に、Ｄ１Ｄ２Ｔ３Ｕ２Ｕ１とする。電話帳登録モードＳ１になる。Ａ，Ｂ，Ｃ，Ｄのカテゴリーの選択は、例えば、▲１▼▲２▼▲３▼▲４▼が対応する。Ｂのカテゴリーに登録するには▲２▼を押す、するとカテゴリーＢの１番目の登録項目が画面の下に表示される。カテゴリーの１つ前の登録項目に移動するにはＫ１を押す、１つ後ろの登録項目に移動するにはＫ２を押す、カテゴリーの切れ目で移動が発生した場合は循環させても良いし、１つ前か１つ後ろのカテゴリーに移っても良い。登録したい場所が確定したらＤ１Ｄ２Ｔ３Ｕ２Ｕ１で決定し、Ｓ０モードに移る。登録をキャンセルしたい場合はＳ１モードで、Ｄ２Ｔ３Ｕ２と押しＳ０モードに戻る。これで、任意の数の電話帳登録ができる。【０００９】次に、電話帳からの発信について述べる。Ｂのカテゴリーの２番目に８１−３−３５８１−１１０１が登録されているとする。まず、Ｄ１Ｔ３Ｕ１と押しＳ２モードに入る。Ｓ２モードでは▲１▼▲２▼▲３▼▲４▼でカテゴリーＡ、Ｂ、Ｃ、Ｄを選択できるので、この場合▲２▼を選択する。するとカテゴリーＢの１番目の登録項目が画面の下に表示される。カテゴリーの１つ前の登録項目に移動するにはＫ１を押す、１つ後ろの登録項目に移動するにはＫ２を押す、この場合、１つ後ろなのでＫ２を押す。これで、８１−３−３５８１−１１０１が選択された。このように、任意の電話帳の登録項目が選択できる。Ｓ２モードにおいて、Ｄ１Ｔ３Ｕ１、を押して発信する。通話状態に入る。Ｄ２Ｔ３Ｕ１、で切断しＳ０状態に入る。電話帳の選択を中止したい場合は、Ｄ２Ｔ３Ｕ２、で初期状態Ｓ０に戻る。【００１０】電話帳に文字でメモを入れたい場合には、例えば「８１−３−３５８１−１１０１  とっきょちょう」と電話番号のメモを入れる場合は、さらにＳ３状態を設け、既に携帯電話で行われているようにア行、カ行、サ行・・・ワ行、記号行などを、◎▲１▼▲２▼▲３▼▲４▼▲５▼▲６▼▲７▼▲８▼▲９▼＊＃に適切に割り当てることにより、電話帳から登録された相手を選ぶのと同じ要領で、メニューから文字を選び登録することが可能である。また、必要に応じて漢字変換することもできる。これらの入力はあまり効率的とはいえないが、電話帳に登録するのが主な目的である。もちろん、労を惜しまなければメールを送ることもできる。【００１１】以上で、２キーによる数字・文字入力ができる。２キーの場合は数字・文字の入力があまり効率的ではないので、主にセキュリティＧＰＳ腕時計型携帯電話での利用が考えられる。主に、幼稚園児から小学生の間で���誘拐、傷害などの危険を親が防止するのに役立つ。子供が電話できるのは父親と母親だけである。これは２回キーを押すだけの簡単な操作である。位置情報は常時追跡可能である。【００１２】一般的に、キーの個数を増やすことにより操作性は向上する。３つのキー、４つのキー、５つのキー、６つのキー等などである。しかしながら、一般的に言って、９キー以上は２タッチ入力のほうが効率的であるが、一般化して複数のキーで本入力装置は可能である。ここでは、４キーの例と６キーの例を説明する。【００１３】４キーの例では、例えば図１が相当する。この例では電話機能だけについて説明する。４つのキーの配置は自由であるが、ここでは説明上横一列に並べ左から１，２，３，４とする。
▲１▼：  Ｄ１Ｋ２Ｕ１
▲２▼：  Ｄ１Ｋ３Ｕ１
▲３▼：  Ｄ１Ｋ４Ｕ１
▲４▼：  Ｄ２Ｋ１Ｕ２
▲５▼：  Ｄ２Ｋ３Ｕ２
▲６▼：  Ｄ２Ｋ４Ｕ２
▲７▼：  Ｄ３Ｋ１Ｕ３
▲８▼：  Ｄ３Ｋ２Ｕ３
▲９▼：  Ｄ３Ｋ４Ｕ３
◎：  Ｄ４Ｋ１Ｕ４
＊：  Ｄ４Ｋ２Ｕ４
＃：  Ｄ４Ｋ３Ｕ４
この結果２タッチで１つの数字が入力できるようになり効率が向上している。【００１４】６キーの例では、電話はもちろん電卓も効率的になっている。１から６をキー番号とする。キーの配置は任意であるが、この例では２行３列の長方形に配置した。数字入力には内部状態Ｓ１とＳ２が存在するＳ１とＳ２の切り替えはＫ３による。
▲１▼：  （Ｓ１）Ｋ１
▲２▼：  （Ｓ１）Ｋ２
▲３▼：  （Ｓ１）Ｋ４
▲４▼：  （Ｓ１）Ｋ５
▲５▼：  （Ｓ１）Ｋ６
▲６▼：  （Ｓ２）Ｋ１
▲７▼：  （Ｓ２）Ｋ２
▲８▼：  （Ｓ２）Ｋ４
▲９▼：  （Ｓ２）Ｋ５
◎：  （Ｓ２）Ｋ６
＊：  Ｄ１Ｔ３Ｕ１
＃：  Ｄ２Ｔ３Ｕ２
この結果、数字は平均１．５タッチで入力できる。電話としては、通話Ｄ４Ｔ３Ｕ３，切断Ｄ５Ｔ３Ｕ５などが考えられる。電卓としては、＋、−、＊、／、．、＝、Ｃ，ＣＡなどが考えられるが、
＋：  Ｄ６Ｋ４Ｕ６
−：  Ｄ６Ｋ５Ｕ６
＊：  Ｄ６Ｋ１Ｕ６
／：  Ｄ６Ｋ２Ｕ６
．：  Ｄ３Ｋ２Ｕ３
＝：  Ｄ３Ｋ１Ｕ３
Ｃ：  Ｄ３Ｋ４Ｕ３
ＣＡ：Ｄ３Ｋ５Ｕ３
とすることも可能である。
【発明の効果】
【００１５】本発明はこのような構造であるので小型ＧＰＳ腕時計型携帯電話が容易に操作できる。
【発明を実施するための最良の形態】
【実施例】
【００１６】２つのキー１，２から成り立つ腕時計型ＧＰＳ携帯電話で、主要通話先２件と、電話帳通話先２０件が登録可能であり、他に任意の電話番号にも通話できるものである。
主要通話先１への電話：  Ｄ１Ｔ３Ｕ１Ｋ１
主要通話先２への電話：  Ｄ１Ｔ３Ｕ１Ｋ２
電話帳登録先カテゴリーＢ、２件目発信：Ｄ１Ｔ３Ｕ１（Ｓ２）▲２▼Ｋ２Ｄ１Ｔ３Ｕ１
切断、初期状態：  Ｄ２Ｔ３Ｕ２
登録・直接通話については宛先番号８１−３−３５８１−１１０１、即ち▲８▼▲１▼▲３▼▲３▼▲５▼▲８▼▲１▼▲１▼▲１▼◎▲１▼を仮定する。
主要通話先１の登録：  ▲８▼▲１▼▲３▼▲３▼▲５▼▲８▼▲１▼▲１▼▲１▼◎▲１▼Ｄ１Ｄ２Ｔ３Ｕ２Ｕ１Ｋ１Ｄ１Ｄ２Ｔ３Ｕ２Ｕ１
主要通話先２の登録：  ▲８▼▲１▼▲３▼▲３▼▲５▼▲８▼▲１▼▲１▼▲１▼◎▲１▼Ｄ１Ｄ２Ｔ３Ｕ２Ｕ１Ｋ２Ｄ１Ｄ２Ｔ３Ｕ２Ｕ１
電話帳登録先カテゴリーＢ、２件目登録：  ▲８▼▲１▼▲３▼▲３▼▲５▼▲８▼▲１▼▲１▼▲１▼◎▲１▼Ｄ１Ｄ２Ｔ３Ｕ２Ｕ１（Ｓ１）▲２▼Ｋ２Ｄ１Ｄ２Ｔ３Ｕ２Ｕ１
直接通話：  ▲８▼▲１▼▲３▼▲３▼▲５▼▲８▼▲１▼▲１▼▲１▼◎▲１▼Ｄ１Ｔ３Ｕ１
（Ｓ０）に於ける１文字前削除：  Ｄ２Ｋ１Ｕ２
（Ｓ０）に於ける２文字前まで削除：  Ｄ２Ｋ１Ｋ１Ｕ２
（Ｓ０）に於けるｎ文字前まで削除：  Ｄ２Ｋ１・・・Ｋ１Ｕ２
（Ｓ１、Ｓ２）に於ける項目の前に移動：  Ｋ１
（Ｓ１、Ｓ２）に於ける項目の後ろに移動：  Ｋ２
（Ｓｘ）に於いて、初期状態への移動：  Ｄ２Ｔ３Ｕ２
【産業上の利用可能性】
【００１７】本発明はこのような構造なので小型機器で通信するのに容易に利用できる、他に、キーの数を適宜増加させれば電卓や電子辞書など、小型で入力が必要な機器に利用できる。
【図面の簡単な説明】
【００１８】
【図１】４つのキーで電話の数値を２タッチで入力できる例
【図２】６つのキーで電話・電卓の主要キーを入力できる例
【符号の説明】
【００１９】１０１は４つのキーの第１キー、１０２は第２キー、１０３は第３キー、１０４は第４キー。２０１は６つのキーの第１キー、２０２は第２キー、２０３は第３キー、２０４は第４キー、２０５は第５キー、２０６は第６キー。
【図１】
2006191214.tif 000003
【図２】
2006191214.tif 000004